(57)【要約】【課題】球転動部を安定した構造とすることが可能な弾球遊技機の提供を目的とする。【解決手段】本発明の弾球遊技機によれば、ステージ構成部材２００は、上側ステージ２５Ｕと前面構成板９９と遊技球流下部９４，９４とを一体形成した構成なので、これらを別部品で構成した場合に比べて、部品点数を抑えることができると共に、安定した構造とすることができる。また、ステージ構成部材２００は、上側ステージ２５Ｕと前面構成板９９とが上側ステージ２５Ｕから前方へ突出した遊技球流下部９４，９４によって繋がれた構造をなしており、これは従来の弾球遊技機にはない斬新な形状なので、装飾枠２３の形状について趣向性を向上することができる。さらに、ステージ構成部材２００は装飾枠２３と遊技盤１１とに固定されたので、装飾枠２３におけるステージ構成部材２００の取付状態をより安定した状態とすることができる。【選択図】  図８
2005013533.tif 000002
【特許請求の範囲】
【請求項１】
遊技球が打ち出される遊技領域が形成された遊技盤と、
前記遊技領域に配設された装飾部材と、
前記装飾部材に設けられ、前記遊技領域を流下した遊技球が転動可能であると共に、転動した遊技球が前記遊技領域に流下可能な第１の転動部材と第２の転動部材とを備え、
前記第１の転動部材を前記装飾部材に対して着脱自在に取り付けると共に、
前記第１の転動部材のうち、遊技球が転動する転動部を前記第２の転動部材より所定間隔をおいて上方に設けた弾球遊技機において、
前記第１の転動部材を、前記転動部と、前記転動部の少なくとも一部から前方向に突出した突出体と、前記突出体の先端部に形成された取付部とから構成すると共に、前記転動部と前記突出体と前記取付部とを一体形成し、
前記第１の転動部材のうちの前記取付部が前記遊技盤に固定されたことを特徴とする弾球遊技機。
【請求項２】
前記装飾部材には、前記装飾部材を前記遊技盤に取り付けるための装飾部材取付部が形成され、前記装飾部材は前記装飾部材取付部を介して固定部材により前記遊技盤の前面側に取り付けられるように構成すると共に、
前記取付部を前記装飾部材取付部の少なくとも一部の前面側に位置させて前記遊技盤に取り付けたことを特徴とする請求項１に記載の弾球遊技機。
【請求項３】
前記突出体に、前記転動部において転動した遊技球を前記遊技領域へ向けて流下させる遊技球誘導部を形成したことを特徴とする請求項１又は２に記載の弾球遊技機。
【請求項４】
前記第２の転動部材の前面側に前記取付部が配置されたことを特徴とする請求項１乃至３の何れかに記載の弾球遊技機。
【請求項５】
前記突出体の下方側に前記第２の転動部材を配置したことを特徴とする請求項１乃至４の何れかに記載の弾球遊技機。
【請求項６】
前記突出体は、前記転動部から前方向に突出すると共に、徐々に下方に向かうように湾曲した形状をなしたことを特徴とする請求項１乃至５の何れかに記載の弾球遊技機。
【請求項７】
前記突出体が複数形成されたことを特徴とする請求項１乃至６の何れかに記載の弾球遊技機。
【請求項８】
前記第２の転動部材の少なくとも一部が、前記転動部よりも前側に配置されたことを特徴とする請求項１乃至７の何れかに記載の弾球遊技機。
【請求項９】
遊技球が打ち出される遊技領域が形成された遊技盤と、
前記遊技領域に配設された装飾部材と、
前記装飾部材に設けられ、前記遊技領域を流下した遊技球が転動可能であると共に、転動した遊技球が前記遊技領域に流下可能な第１の転動部材と第２の転動部材とを備え、
前記第１の転動部材を前記装飾部材に対して着脱自在に取り付けると共に、
前記第１の転動部材のうち、遊技球が転動する転動部を前記第２の転動部材より所定間隔をおいて上方に設けた弾球遊技機において、
前記第１の転動部材を、前記転動部と、前記転動部の少なくとも一部から前方向に突出した突出体と、前記突出体の先端部に形成された取付部とから構成すると共に、前記転動部と前記突出体と前記取付部とを一体形成し、
前記第１の転動部材のうちの前記取付部が前記装飾部材に固定されたことを特徴とする弾球遊技機。
【請求項１０】
遊技球が打ち出される遊技領域が形成された遊技盤と、
前記遊技領域に配設された装飾部材と、
前記装飾部材に組み付けられて、前記遊技領域を流下した遊技球を受けて転動させた後で再度流下させる上側転動部と、
前記上側転動部より下方でかつ前方の位置に設けられて、前記遊技領域を流下した遊技球を受けて転動させた後で再度流下させる下側転動部とを備えた弾球遊技機において、
前記遊技盤の前面に敷設された前面構成板と、
前記下側転動部の前方下側に配置されて、前記下側転動部の上方を跨ぐように前記上側転動部の前端と前記前面構成板の上端との間に差し渡された連絡部とを備え、
前記上側転動部と前記連絡部と前記前面構成板とを一体形成したことを特徴とする弾球遊技機。
【請求項１１】
前記連絡部には、前記上側転動部を転動する遊技球が転動する案内溝が形成されたことを特徴とする請求項１０に記載の弾球遊技機。
【発明の詳細な説明】
【０００１】
【発明の属する技術分野】
本発明は、弾球遊技機に関する。
【０００２】
【従来の技術】
従来の弾球遊技機では、装飾部材の下辺部分に遊技球が転動可能な球転動部を備えたものが知られている。この弾球遊技機では、球転動部における遊技球の動きが変化するように構成されている（例えば、特許文献１参照）。
【０００３】
【特許文献１】
特開２０００−３０８７１６号公報（［００１５］〜［００２１］、図５）
【０００４】
【発明が解決しようとする課題】
ところで近年、球転動部の形状や球転動部における遊技球の動き等をより斬新なものとするために球転動部の構造が複雑化する傾向にある。ところが、球転動部の構造を複雑化すると、装飾部材に対する球転動部等の組み付けが困難となったり、組み付けた際の球転動部が不安定な状態に組み付けられる等の虞があった。
【０００５】
本発明は、上記事情に鑑みてなされたもので、球転動部の構造を複雑化した場合においても、装飾部材に対して球転動部等を組み付けたときに球転動部の組み付け状態を安定した構造とすることが可能な弾球遊技機の提供を目的とする。
【０００６】
【課題を解決するための手段】
上記目的を達成するため、請求項１に係る弾球遊技機は、遊技球が打ち出される遊技領域が形成された遊技盤と、遊技領域に配設された装飾部材と、装飾部材に設けられ、遊技領域を流下した遊技球が転動可能であると共に、転動した遊技球が遊技領域に流下可能な第１の転動部材と第２の転動部材とを備え、第１の転動部材を装飾部材に対して着脱自在に取り付けると共に、第１の転動部材のうち、遊技球が転動する転動部を第２の転動部材より所定間隔をおいて上方に設けた弾球遊技機において、第１の転動部材を、転動部と、転動部の少なくとも一部から前方向に突出した突出体と、突出体の先端部に形成された取付部とから構成すると共に、転動部と突出体と取付部とを一体形成し、第１の転動部材のうちの取付部が遊技盤に固定されたところに特徴を有する。
【０００７】
請求項２の発明は、請求項１に記載の弾球遊技機において、装飾部材には、装飾部材を遊技盤に取り付けるための装飾部材取付部が形成され、装飾部材は装飾部材取付部を介して固定部材により遊技盤の前面側に取り付けられるように構成すると共に、取付部を装飾部材取付部の少なくとも一部の前面側に位置させて遊技盤に取り付けたところに特徴を有する。
【０００８】
請求項３の発明は、請求項１又は２に記載の弾球遊技機において、突出体に、転動部において転動した遊技球を遊技領域へ向けて流下させる遊技球誘導部を形成したところに特徴を有する。
【０００９】
請求項４の発明は、請求項１乃至３の何れかに記載の弾球遊技機において、第２の転動部材の前面側に取付部が配置されたところに特徴を有する。
【００１０】
請求項５の発明は、請求項１乃至４の何れかに記載の弾球遊技機において、突出体の下方側に第２の転動部材を配置したところに特徴を有する。
【００１１】
請求項６の発明は、請求項１乃至５の何れかに記載の弾球遊技機において、突出体は、転動部から前方向に突出すると共に、徐々に下方に向かうように湾曲した形状をなしたところに特徴を有する。
【００１２】
請求項７の発明は、請求項１乃至６の何れかに記載の弾球遊技機において、突出体が複数形成されたところに特徴を有する。
【００１３】
請求項８の発明は、請求項１乃至７の何れかに記載の弾球遊技機において、第２の転動部材の少なくとも一部が、転動部よりも前側に配置されたところに特徴を有する。
【００１４】
請求項９に係る弾球遊技機は、遊技球が打ち出される遊技領域が形成された遊技盤と、遊技領域に配設された装飾部材と、装飾部材に設けられ、遊技領域を流下した遊技球が転動可能であると共に、転動した遊技球が遊技領域に流下可能な第１の転動部材と第２の転動部材とを備え、第１の転動部材を装飾部材に対して着脱自在に取り付けると共に、第１の転動部材のうち、遊技球が転動する転動部を第２の転動部材より所定間隔をおいて上方に設けた弾球遊技機において、第１の転動部材を、転動部と、転動部の少なくとも一部から前方向に突出した突出体と、突出体の先端部に形成された取付部とから構成すると共に、転動部と突出体と取付部とを一体形成し、第１の転動部材のうちの取付部が装飾部材に固定されたところに特徴を有する。
【００１５】
請求項１０に係る弾球遊技機は、遊技球が打ち出される遊技領域が形成された遊技盤と、遊技領域に配設された装飾部材と、装飾部材に組み付けられて、遊技領域を流下した遊技球を受けて転動させた後で再度流下させる上側転動部と、上側転動部より下方でかつ前方の位置に設けられて、遊技領域を流下した遊技球を受けて転動させた後で再度流下させる下側転動部とを備えた弾球遊技機において、遊技盤の前面に敷設された前面構成板と、下側転動部の前方下側に配置されて、下側転動部の上方を跨ぐように上側転動部の前端と前面構成板の上端との間に差し渡された連絡部とを備え、上側転動部と連絡部と前面構成板とを一体形成したところに特徴を有する。
【００１６】
請求項１１の発明は、請求項１１に記載の弾球遊技機において、連絡部には、上側転動部を転動する遊技球が転動する案内溝が形成されたところに特徴を有する。
【００１７】
【発明の作用及び効果】
＜請求項１及び５の発明＞
上記のように構成した請求項１に係る発明によれば、第１の転動部材を、転動部と、転動部の少なくとも一部から前方向に突出した突出体と、突出体の先端部に形成された取付部とから構成すると共に、転動部と突出体と取付部とを一体形成し、第１の転動部材のうちの取付部が遊技盤に固定されているので、転動部材の構造を複雑化した場合においても、装飾部材に転動部材を組み付けたときの状態をより安定した状態とすることができる。ここで、突出体の下方側に第２の転動部材を配置してもよい（請求項５の発明）。
【００１８】
＜請求項２の発明＞
請求項２の発明によれば、装飾部材取付部によって装飾部材を遊技盤の前面に固定することが可能であり、取付部を装飾部材取付部の少なくとも一部の前側に位置させて遊技盤に取り付けたので、装飾部材を遊技盤面により強固に固定することができる。
【００１９】
＜請求項３の発明＞
請求項３の発明によれば、転動部を転動した遊技球は、突出体に形成された遊技球誘導部から遊技領域に流下される。これにより、遊技者に装飾部材における遊技球の動きに対して興味を抱かせることができる。
【００２０】
＜請求項４の発明＞
請求項４の発明によれば、取付部が第２の転動部材の前面側に配置されたので、取付部と遊技盤との取り付けが容易となる。
【００２１】
＜請求項６の発明＞
請求項６の発明によれば、突出体は、転動部から前方に突出すると共に、徐々に下方に向かうように湾曲した形状をなしている。これにより、従来の弾球遊技機にはない斬新な遊技球の流下態様となり趣向性を向上することができる。
【００２２】
＜請求項７の発明＞
請求項７の発明によれば、転動部と取付部との間に複数の突出体が形成されたので、装飾部材における第１の転動部材の組み付けた状態での強度を高めることができる。
【００２３】
＜請求項８の発明＞
請求項８の発明によれば、第２の転動部材の少なくとも一部が、転動部よりも前側に配置されたので、第２の転動部材を転動する遊技球を第１の転動部材の転動部を転動する遊技球よりも前側の位置で転動させることが可能となる。
【００２４】
＜請求項９の発明＞
上記のように構成した請求項９に係る発明によれば、第１の転動部材を、転動部と、転動部の少なくとも一部から前方向に突出した突出体と、突出体の先端部に形成された取付部とから構成すると共に、転動部と突出体と取付部とを一体形成し、第１の転動部材のうちの取付部が装飾部材に固定されているので、転動部材の構造を複雑化した場合においても、装飾部材に転動部材を組み付けたときの状態をより安定した状態とすることができる。
【００２５】
＜請求項１０の発明＞
上記のように構成した請求項１０に係る発明によれば、遊技盤の前面に敷設された前面構成板と、下側転動部の前方下側に配置されて、下側転動部の上方を跨ぐように上側転動部の前端と前面構成板の上端との間に差し渡された連絡部とを備え、上側転動部と連絡部と前面構成板とを一体形成したので、これら上側転動部と連絡部と前面構成板との構造が複雑化しても、装飾部材にこれらを組み付けたときの状態をより安定した状態とすることができる。
【００２６】
＜請求項１１の発明＞
請求項１１の発明によれば、連絡部に上側転動部を転動する遊技球が転動する案内溝が形成されたので、遊技球が上側転動部から下側転動部の上方を通って流下される。これにより上側転動部から流下される遊技球の流下態様の趣向性を向上することができる
【００２７】
【発明の実施の形態】
以下、本発明を適用したパチンコ遊技機に係る一実施形態を、図１〜図１１に基づいて説明する。図１に示すように、本実施形態のパチンコ遊技機の遊技盤１１には、ガイドレール１２で囲まれたほぼ円形の遊技領域Ｒ１が形成され、この遊技領域Ｒ１内に表示装置１３が備えられている。
【００２８】
表示装置１３は、遊技領域Ｒ１において向かって若干右寄りに偏在され、表示装置１３の左側端部とガイドレール１２との間には、ランプ風車１９と風車１７とが上下に並んで設けられている。表示装置１３の下方には、始動入賞口１４、大入賞口１５及び外れ球受け入れ口１６が、上から順に間隔を開けて並べて設けられている。また、遊技領域Ｒ１のうち始動入賞口１４を挟んだ左右の両側には、上下に袖入賞口２０及び落とし入賞口２１が設けられ、始動入賞口１４と左右の袖入賞口２０，２０の間には、始動ゲート１８，１８が設けられている。さらに、遊技領域Ｒ１全体に亘って、図示しない複数の障害釘が起立している。
【００２９】
なお、パチンコ遊技機のうち遊技盤１１より下方には、上皿２７Ａ及び下皿２７Ｂが上下２段にして設けられている。そして、下皿２７Ｂの右端部に設けた操作ノブ２８を操作することで、上皿２７Ａに収容された遊技球が遊技盤１１に向けて弾き出される。また、上皿２７Ａの上面には、上皿２７Ａから下皿２７Ｂに遊技球を移動するためのボタン２９が設けられ、上皿２７Ａの奥部には、スピーカ５９Ｓが備えられている。
【００３０】
さらに、図１０に示すように、パチンコ遊技機の後面の所定箇所には、電源装置１７５と、遊技の制御に係るメイン制御装置１５０、ランプ制御装置１５５、音声制御装置１５６、表示制御装置１７０、払出制御装置１５８等の各種制御装置が設けられている。
【００３１】
次に所要の各部位について詳説する。
始動ゲート１８は、門形構造をなしかつ検出スイッチを内蔵し、始動ゲート１８を通過した遊技球が検出スイッチにて検出される。そして、その検出信号に基づいて、後述する普通図柄表示領域２４の図柄が変動表示される。
【００３２】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、遊技盤１１の裏に設けたソレノイドが駆動されると、可動翼片１４Ｃ，１４Ｃが横に倒され、遊技球が可動翼片１４Ｃに案内されて始動入賞口１４に入り得る状態になる。
【００３３】
始動入賞口１４に遊技球が入賞すると、始動入賞口１４内に設けた検出スイッチが遊技球を検出し、その検出信号に基づいて表示装置１３が後述するように図柄を変動表示する。なお、表示装置１３が図柄を変動表示している間に、始動入賞口１４に入賞した入賞球は、例えば、４個まで累積カウントされる。
【００３４】
大入賞口１５は、横長に形成されて、常には、可動扉１５Ｔにて閉塞されている。そして、後述する所定条件の成立によって、パチンコ遊技機が「大当たり状態」になると、遊技盤１１の裏に設けたソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が２９秒に達したか、又は、大入賞口１５に遊技球が１０個入賞したか、の何れかの条件が先に満たされた場合に終了する。
【００３５】
大入賞口１５の内部には、継続入賞口と計数入賞口とが設けられており、これら継続入賞口及び計数入賞口が開放される。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた検出スイッチが遊技球の入賞を検出すると、前述した終了条件を満たしてラウンドが終了した後で、連続して次のラウンドが実行される。また、計数入賞口内に設けた検出スイッチが遊技球の入賞を検出すると、継続入賞口への入賞球と合わせて、大入賞口１５への入賞球がカウントされ、これらが前記したように計１０個に達したか否かがチェックされる。
【００３６】
表示装置１３は、全体として枠形構造をなした装飾枠２３（本発明の「装飾部材」に相当する）の後端面に、液晶モジュール１３Ｍ（詳細には、ＴＦＴ−ＬＣＤモジュール）を組み付けてなる。液晶モジュールのうち、装飾枠２３に形成された表示窓２３Ｗで取り囲まれた前面部分は、表示部３４となっており、遊技者は、装飾枠２３の表示窓２３Ｗを通して表示部３４に表示された画像を見ることができる。
【００３７】
装飾枠２３は、遊技盤１１に形成された図示しない取付窓に嵌め込まれて、周縁部から張り出したフランジ部４９（図２を参照）を遊技盤１１面に突き当てて図示しない螺子（本発明の「固定部材」に相当する）によって固定されている。装飾枠２３の上辺部分と両側辺部分は、遊技盤１１から前方に突出している。これにより、表示部３４の前側を遊技球が流下することが規制されると共に、装飾枠２３の上方及び側方から装飾枠２３の内側へ遊技球が直接進入しないように規制されている。
【００３８】
装飾枠２３の上辺部分と右側辺部分の内部には、遊技球が転動可能な遊技球通過路２６が形成されている。また、装飾枠２３の下辺部分には、遊技球が遊転可能な上側ステージ２５Ｕ（本発明の「転動部」及び「上側転動部」に相当する）と下側ステージ２５Ｄ（本発明の「第２の転動部材」及び「下側転動部」に相当する）とが上下２段に備えられている。そして、表示装置１３の上方から流下した遊技球が、装飾枠２３の上辺部分の中央に斜め上方を向いて開放した入球口３９から装飾枠２３内に転入可能に構成され、入球口３９から転入した遊技球は、遊技球通過路２６を通過して上下のステージ２５Ｕ，２５Ｄに案内される。
【００３９】
表示部３４の表示画面には、図１に示すように、通常は、左、中、右の３つの特別図柄１３Ａ，１３Ｂ，１３Ｃが、横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、表示部３４に確定表示されている。そして、始動入賞口１４に遊技球が入賞したときに、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、全ての特別図柄１３Ａ，１３Ｂ，１３Ｃが同じ図柄、即ち、ぞろ目になった場合に、遊技が「大当たり状態」になり、可動扉１５Ｔが開かれる。
【００４０】
表示部３４のうち、特別図柄１３Ａ，１３Ｂ，１３Ｃの表示領域の左下隅には、普通図柄表示領域２４が設けられている。この普通図柄表示領域２４は、始動ゲート１８内に設けた検出スイッチが遊技球の通過を検出したときに、例えば、「０」〜「９」までの数字を所定期間に亘って変動表示した後、所定の数字を確定表示する。そして、確定表示された数字が、例えば、奇数の場合に、前記始動入賞口１４に設けた前記可動翼片１４Ｃ，１４Ｃが所定期間（例えば、０．４秒）に亘って横に倒される。また、普通図柄表示領域が変動表示している間に始動ゲート１８を通過した遊技球は、例えば、４つまで累積カウントされ、図示しないＬＥＤの点灯数で表示される。
【００４１】
さて、装飾枠２３に形成された遊技球通過路２６は、装飾枠２３の上辺部分に形成された上辺通過路４０と装飾枠２３の右側辺部分に形成された右側辺通過路５０とから構成される。
【００４２】
まず、上辺通過路４０について説明する。上辺通過路４０は、装飾枠２３の上辺のほぼ中央部分から装飾枠２３の右側辺に向かって延びており、全体として、右側辺に向かうに従って下方に傾斜している。また、上辺通過路４０は、前方に開放しており、上辺通過路４０を通過する遊技球が、前側から視認可能となっている。
【００４３】
詳細には、上辺通過路４０は、入球口３９の真下位置から上辺の途中部分まで延びた上側通路４１と、上側通路４１の下方に設けられて、上辺の途中部分から右端部まで延びた下側通路４２とを備える。これら上下に配設された上側通路４１と下側通路４２との間には、連絡部材４３が設けられている。そして、この連絡部材４３によって、上側通路４１と下側通路４２とが連絡可能となっている。
【００４４】
連絡部材４３は、所謂、獅子おどし構造をなしており、遊技盤１１に直交する軸を中心として回動可能に備えられている。連絡部材４３の左端部には、図示しない錘が備えられており、右端部には、遊技球を受け入れ可能な球受凹部４４が形成されている。連絡部材４３は、常には、錘によって球受凹部４４が上方位置となるように付勢されている（図１の状態）。この状態のときには、上側通路４１と球受凹部４４とが連絡されている。遊技球が球受凹部４４に受け入れられると、遊技球の自重によって連絡部材４３が回動して、球受凹部４４が下方位置となる（図９の状態）。すると、球受凹部４４と下側通路４２とが連絡され、遊技球が球受凹部４４に形成された傾斜によって下側通路４２に向けて排出される。
【００４５】
図２に示すように、下側通路４２の上面には、下側通路４２の前縁部から奥側に向かって延びた複数の突条４５が形成されている。また、図３に示すように、下側通路４２の奥側の壁部４７には、前方に向かって突出した複数の突起部４６が形成されている。これら突条４５と突起部４６とは、下側通路４２に沿って交互に配設されている。そして、下側通路４２を転動する遊技球は、これら突条４５と突起部４６とに交互に接触することで流下速度を落とし、転動方向を変えながら下側通路４２の下端部へ向かって転がる。なお、下側通路４２の奥側の壁部４７の裏側には、複数のＬＥＤ（図示せず）が備えられており、例えば、透光性の樹脂で構成された壁部４７を通して、ＬＥＤの光が遊技者側に照射されるように構成されている。
【００４６】
次に、右側辺通過路５０について説明する。右側辺通過路５０は、下側通路４２の下端部の右側に設けられ、図３に示すように、装飾枠２３の奥行き方向に延びた後方誘導路５１と前方誘導路５２とを上下に備える。
【００４７】
後方誘導路５１は、下側通路４２の下端部よりも若干下方位置に配設されて、装飾枠２３の前側から奥側に向かって下方に傾斜している。後方誘導路５１は、図２及び図３に示すように、中央部分が平坦面をなし、両側部が円弧状に湾曲している。また、後方誘導路５１の上面の両側部には、奥側へ向かって斜めに延びた複数の突条５３が形成され（図９を参照）、これら突条５３が、後方誘導路５１の奥端部に向かって左右交互に配設されている。そして、後方誘導路５１を転動する遊技球は、これら突条５３に接触することで流下速度を落とし、転動方向を変えながら、後方誘導路５１の奥端部へ向かって転動する。なお、後方誘導路５１は、例えば、無色透明な樹脂で構成されている。
【００４８】
後方誘導路５１の奥端部より後側には、遊技球が通過可能な樋部５４が上下方向に延びている。樋部５４は、所謂、漏斗構造をなす。即ち、樋部５４の開口広さは、上端部から下方に向かうに従って次第に狭くなり、途中で遊技球１つ分の大きさとなって下端部まで延びている。そして、後方誘導路５１を転動して樋部５４の上端開口から樋部５４内に進入した遊技球は、樋部５４内を真下に流下して、前方誘導路５２の奥端部（上端部）に落下する。
【００４９】
なお、図４に示すように、樋部５４の後側には、複数のＬＥＤ６２が備えられており、このＬＥＤ６２の光が、右側辺通過路５０の奥側から前方に向かって照射されるように構成されている。なお、本実施形態では、後方誘導路５１と樋部５４とが一体的に形成されている。
【００５０】
前方誘導路５２は、後方誘導路５１の真下に配設されて、装飾枠２３の奥側から前側に向かって階段状に下っている（図７を参照）。前方誘導路５２の上面には、半球体形状をなした複数の小突部５５が突出形成されている。また、前方誘導路５２の両側部寄り位置には、サイド突部５７，５７が起立形成されている。さらに、前方誘導路５２の前端縁の中央には、三角柱形状をなしたセンター突部５６が起立形成されている（図４を参照）。そして、これら小突部５５、サイド突部５７，５７及びセンター突部５６によって、前方誘導路５２を転動する遊技球の転動方向がランダムに変えられ、遊技球は前方誘導路５２の前端部の様々な位置から下方へ流下される。
【００５１】
ここで、センター突部５６は、頂点の一つが、前方誘導路５２の奥側を向くように形成されている。これにより、センター突部５６に衝突した遊技球をスムーズにセンター突部５６の左右何れかの部分に振り分けることができる。また、センター突部５６及びサイド突部５７，５７の前側には、図３に示すように「木」を模った樹脂製のキャラクター部材５８が取り付けられており、弾球遊技機の前側から見たときに、センター突部５６及びサイド突部５７，５７が見えなくなるように構成されている。また、図２に示すように、前方誘導路５２の左側辺の前寄り部分には、垂直壁６０が起立しており、この垂直壁６０によって遊技球が前方誘導路５２の側方へ落下することが防止されている。さらに、図７に示すように、前方誘導路５２の下方には、複数のＬＥＤ６１が備えられており、これらＬＥＤ６１の光が、例えば、透光性の樹脂で構成された前方誘導路５２を透過して上方へ向けて照射される。なお、センター突部５６及びサイド突部５７，５７は、前方誘導路５２を転動する遊技球を振り分け誘導する誘導手段と、キャラクター部材５８を前方誘導路５２に取り付ける際にキャラクター部材５８を取り付け位置で支持する支持手段とを備えた構成にし、１つの部材で遊技球の誘導とキャラクター部材５８の支持との２つの役割を持たせることも可能である。
【００５２】
さて、前方誘導路５２より下方には、前方誘導路５２の前端部から流下した遊技球を受けて、装飾枠２３の下辺に形成された上側ステージ２５Ｕへ案内する上側ステージ案内路６３と、下側ステージ２５Ｄへ案内する下側ステージ案内路６４とが上下２段に形成されている。
【００５３】
上側ステージ案内路６３は、前方誘導路５２の前側に設けられた前通路６５と、前通路６５と連絡して前方誘導路５２の側方に設けられた側方通路６６とから構成される。前通路６５は、遊技盤１１面から突出して設けられ、かつ上方に開放している。また、前通路６５は、前方誘導路５２のセンター突部５６よりも左側に配設され、装飾枠２３の下辺部分へ向かうに従って下方に傾斜している。従って、前方誘導路５２のセンター突部５６よりも左側の部分から流下した遊技球のみが前通路６５に入球可能となっている。また、前通路６５の下端部は、後方に向かって下方に傾斜しており、前通路６５の下端部の角には、遊技球の転動方向を、装飾枠２３の後方側へ向けるためのコーナー突部６５Ｈが形成されている（図４を参照）。なお、本実施形態では、前通路６５は、図８に示すように、上方と後方とが開放した前通路構成部材６５Ｋを、前方誘導路５２の下方の壁面に取り付けることで形成されている。
【００５４】
一方、側方通路６６は、前方誘導路５２の左側辺に沿って前後方向に延びた両端開放の円筒部材６６Ｔによって構成されている。そして、側方通路６６の前端部、即ち、円筒部材６６Ｔの前端開口が前通路６５の下端部に連絡し、後端部、即ち、円筒部材６６Ｔの後端開口が上側ステージ２５Ｕの右端部位置に連絡している。また、図８に示すように、円筒部材６６Ｔの内側面には、円筒部材６６Ｔの軸方向に沿ってレール部６８が突出形成されており、このレール部６８が円筒部材６６Ｔの前端開口から後端開口向かうに従って下方に傾斜している。これにより、遊技球は、レール部６８の傾斜によって側方通路６６の前端位置から後端位置に向かって転動する。
【００５５】
下側ステージ案内路６４は、前通路６５の真下位置に設けられ、前通路６５と略平行に延びている。下側ステージ案内路６４は、遊技盤１１面から前方に突出すると共に、前通路６５よりも左側の位置から装飾枠２３の下辺部分に向かって延びている。また、下側ステージ案内路６４は、装飾枠２３の下辺部分に向うに従って下方に傾斜している。そして、図８に示すように、前記円筒部材６６Ｔの前端開口部分の真下位置に形成された貫通口６７によって、下側ステージ案内路６４と下側ステージ２５Ｄの右端部とが連絡されている。ここで、下側ステージ案内路６４のうち、前方誘導路５２のセンター突部５６よりも左側の部分は上方を前通路６５によって覆われている。従って、前通路６５からはみ出た部分、即ち、前方誘導路５２のセンター突部５６よりも右側の部分から流下した遊技球のみが下側ステージ案内路６４に入球可能となっている。
【００５６】
次に、装飾枠２３の下辺部分に形成された上側ステージ２５Ｕ及び下側ステージ２５Ｄについて説明する。下側ステージ２５Ｄは、装飾枠２３の左右両側辺を繋ぐように延びており、左右の両端部から中央部に向かって下るように緩やかに湾曲している。また、下側ステージ２５Ｄの中央部分には、下側ステージ２５Ｄの奥側から前方に向かうに従って若干下方に傾斜した中央遊転部８０が形成されている。下側ステージ２５Ｄのうち中央遊転部８０の左右両側部分の前端縁には、上方に向かって起立した流下防止壁８１が形成されており、下側ステージ２５Ｄを転動する遊技球が、中央遊転部８０以外の部分から装飾枠２３の下方に流下し難いように構成されている。
【００５７】
下側ステージ２５Ｄのうち、中央転動部８０の前端部分には、前面構成板９９が突き当てられている。前面構成板９９は、薄板形状をなしており、装飾枠２３の下辺部分から下方に張り出している（図１１を参照）。前面構成板９９のうち、装飾枠２３より下方に張り出した部分には、一対の盤面取付孔９９Ｗが貫通形成されている。また、前面構成板９９の左右両端部には、枠取付孔９９Ｋが貫通形成されている。そして、枠取付孔９９Ｋを通した螺子によって、前面構成板９９が装飾枠２３の前端部にねじ止めされている。また、前面構成板９９の装飾枠２３から下方に張り出した部分は遊技盤１１の前面に敷設されており、盤面取付孔９９Ｗを貫通した螺子７８によって前面構成板９９が遊技盤１１に固定されている（図６を参照）。つまり、前面構成板９９は、装飾枠２３の前側に配置されて遊技盤１１に固定されている。なお、前面構成板９９は、下側ステージ２５Ｄの前端部に設けられて、遊技盤１１に固定されているので、本発明の「取付部」に相当する。
【００５８】
下側ステージ２５Ｄの奥部には、下側ステージ２５Ｄに沿って円弧状に湾曲した下側ステージランプ８２が備えられている。下側ステージランプ８２は袋形状をなしており、図８に示すように、上面が両端部から中央部に向かうに従って段付状に下っている。また、下側ステージランプ８２の前面は、下側ステージ２５Ｄに対してほぼ垂直な平坦面となっている。下側ステージランプ８２は、例えば、透光性の樹脂で構成されており、下側ステージランプ８２の裏側には、図５に示すように、複数のＬＥＤ４８が備えられている。そして、ＬＥＤ４８の光が下側ステージランプ８２の前面を透過して、遊技者側に照射されるように構成されている。
【００５９】
上側ステージ２５Ｕは、下側ステージ２５Ｄよりも奥側でかつ下側ステージランプ８２の上方に設けられている。上側ステージ２５Ｕも、下側ステージ２５Ｄと同様に、装飾枠２３の左右両側辺を繋ぐように形成されており、全体として、両端部から中央部に向かって下方に傾斜している。より詳細には、上側ステージ２５Ｕの中央部分には、右から順番に右転動部８３Ｒ，中央転動部８３Ｃ、左転動部８３Ｌが形成されている。これら各転動部８３Ｌ，８３Ｃ，８３Ｒは、上側ステージ２５Ｕの中央部分に等間隔に配設され、上面が略円弧状に湾曲して凹形状をなしている。また、各転動部８３Ｌ，８３Ｃ，８３Ｒには、上側ステージ２５Ｕの奥側から前端部に向かうに従って下方に傾斜した球遊転部８６が形成されている。
【００６０】
上側ステージ２５Ｕのうち、上側ステージ２５Ｕの右端部と右転動部８３Ｒとの間には右スロープ部８７Ｒが形成され、左端部と左転動部８３Ｌとの間には左スロープ部８７Ｌが形成されている。各スロープ部８７Ｒ，８７Ｌは、何れも上側ステージ２５Ｕの中央部分に向かって下方に傾斜している。
【００６１】
中央転動部８３Ｃの両側には隆起部８４Ｒ，８４Ｌが形成されている。隆起部８４Ｒ，８４Ｌは、山形状をなしており、各転動部８３Ｌ，８３Ｃ，８３Ｒよりも盛り上がっている。中央転動部８３Ｃと左転動部８３Ｌとの間に形成された左隆起部８４Ｌの上面は、緩やかな略円弧状をなしており、遊技球が容易に中央転動部８３Ｃと左転動部８３Ｌとの間を移動できるようになっている。
【００６２】
これに対し、中央転動部８３Ｃと右転動部８３Ｒとの間に形成された右隆起部８４Ｒは、以下のようである。即ち、右隆起部８４Ｒの上面のうち、右転動部８３Ｒ側の部分は、左隆起部８４Ｌと同様に、中央転動部８３Ｃに向かうに従って緩やかに上るように傾斜している。一方、右隆起部８４Ｒの上面のうち、中央転動部８３Ｃ側の部分は、右転動部８３Ｒ側の部分の傾斜に比べて傾斜角度の大きい段差壁１００となっている。即ち、段差壁１００と右隆起部８４Ｒの右転動部８３Ｒ側の部分とが一体的に形成されている。これにより、上側ステージ２５Ｕの右端部寄り位置から左側へ向かって転動する遊技球は、容易に右隆起部８４Ｒを乗り越えることができるが、上側ステージ２５Ｕの左側から右側へ向かう遊技球は、右隆起部８４Ｒに形成された段差壁１００によって、右隆起部８４Ｒを乗り越えることが困難となる。
【００６３】
また、上側ステージ２５Ｕの前端縁のうち、スロープ部８７Ｒ，８７Ｌ及び隆起部８４Ｒ，８４Ｌが形成された部分には、上方に向かって垂直に起立した落下防止壁８５が形成されている。この落下防止壁８５により遊技球が各転動部８３Ｌ，８３Ｃ，８３Ｒ以外の場所から、上側ステージ２５Ｕの下方へ流下することが防止されている。
【００６４】
図２に示すように、上側ステージ２５Ｕのうち、中央転動部８３Ｃの前方には、誘導部９０が形成されている。誘導部９０は、上側ステージ２５Ｕの前端部から前方に向かって突出している。そして、先端部に向かうに従って若干下方へ傾斜すると共に、先端部が真下へ向かうように湾曲している（図５を参照）。
【００６５】
図４に示すように、誘導部９０は、中央転動部８３Ｃの前縁部の全体から前方に突出して、先細り形状をなしている。そして、中央転動部８３Ｃの上面と誘導部９０の上面、より詳細には、中央転動部８３Ｃに形成された球遊転部８６と誘導部９０の基端部分に形成された幅広部９０Ｈとが面一となっている。これにより、球遊転部８６を転動する遊技球を、スムーズに誘導部９０へ移動させることができる。
【００６６】
誘導部９０の上面には、Ｖ字溝９１が形成されている。このＶ字溝９１は、中央転動部８３Ｃに形成された球遊転部８６の途中部分から誘導部９０の先端まで延びている。Ｖ字溝９１は、遊技球の一部を受け入れ可能な大きさとなっており（図５を参照）、誘導部９０上を転動する遊技球が、誘導部９０の途中部分から落下し難くなっている。さらに、図５に示すように誘導部９０の裏側には、リブ９３が形成されており、誘導部９０の補強がなされている。
【００６７】
誘導部９０の先端部は、図５に示すように、下側ステージ２５Ｄの前端縁の略垂直上方に位置している。これにより、誘導部９０から流下された遊技球が、下側ステージ２５Ｄ上に落下又は接触しないようになっている。また、誘導部９０の先端部と下側ステージ２５Ｄとの間の距離は、図５に示すように、遊技球の直径よりもやや大きくなっている。これにより、誘導部９０の先端部と下側ステージ２５Ｄとの間に、少なくとも遊技球が１つ通過可能な空間が設けられ、下側ステージ２５Ｄのうち、誘導部９０の真下位置からも遊技球が流下可能となっている。
【００６８】
さて、上側ステージ２５Ｕのうち、左右の転動部８３Ｌ，８３Ｒが形成された部分の前端部には、遊技球流下部９４，９４（本発明の「突出部」及び「連絡部」に相当する）が形成されている。遊技球流下部９４，９４は、上側ステージ２５Ｕと下側ステージ２５Ｄとの間に掛け渡されて、所謂、アーチ状をなしている（図２を参照）。詳細には、遊技球流下部９４，９４は、誘導部９０と同様に、上側ステージ２５Ｕの前端部から若干下方に傾斜しながら前方へ突出し、途中で湾曲して真下へ向かって延びている。そして、遊技球流下部９４の下端部が、下側ステージ２５Ｄの前端部に設けられた前面構成板９９に連絡されている。また、遊技球流下部９４と下側ステージ２５Ｄとの間には、遊技球が通過可能な大きさの空間が形成されている（図６を参照）。
【００６９】
ここで、遊技球流下部９４は、下端部が流下防止壁８１に連絡していること以外は、誘導部９０とほぼ同一な構成となっている。即ち、遊技球流下部９４の上面にはＶ字溝９４Ｖが形成されており、左右の転動部８３Ｌ，８３Ｒに形成された球遊転部８６，８６の途中から遊技球流下部９４の下端部まで延びている。また、遊技球流下部９４の基端側に形成された幅広部分９４Ｈは、左右の転動部８３Ｌ，８３Ｒに形成された球遊転部８６，８６と面一となっている。さらに、遊技球流下部９４の裏側には、リブ９４Ｒが形成されている。なお、遊技球流下部９４上の遊技球は、Ｖ字溝９４Ｖに沿って装飾枠２３の下方へ向けて流下されるので、Ｖ字溝９４Ｖが本発明の「遊技球誘導部」及び「案内溝」に相当する。
【００７０】
さて、上述した上側ステージ２５Ｕ、誘導部９０、遊技球流下部９４及び前面構成板９９は、図８に示すように、ステージ構成部材２００（本発明の「第１の転動部材」に相当する）として一体形成されている。ステージ構成部材２００は、装飾枠２３に対して着脱自在に組みつけられている。詳細には、ステージ構成部材２００は、装飾枠２３の前側（図８における左側）から装飾枠２３の下辺部分に挿入され、ステージ構成部材２００のうち、上側ステージ２５Ｕの奥端縁に形成された複数の突起部７６が、下側ステージランプ８２の上方で、装飾枠２３の表示窓２３Ｗの下辺部分に形成された孔部７５に差し込まれ、上側ステージ２５Ｕの取付位置が特定されている。また、前面構成板９９が、下側ステージ２５Ｄの前端縁に突き当てられている（図５及び図６を参照）。そして、上述したように、前面構成板９９と装飾枠２３とが螺子止めされて固定されると共に、前面構成板９９が遊技盤１１に敷設されて螺子止めされている。つまり、ステージ構成部材２００は、装飾枠２３と遊技盤１１とに固定されている。
【００７１】
ここで、前面構成板９９は、装飾枠２３の下側ステージ２５Ｄの前端縁に押し付けられて、遊技盤１１に螺子止めされている。これにより、遊技盤１１に敷設されたフランジ部４９が遊技盤１１の前面に押し付けられて、装飾枠２３を強固に遊技盤１１に固定することができる。また、前面構成板９９を、装飾枠２３及び遊技盤１１に固定する場合には、遊技盤１１の前面側から取り付けることができるので、取付作業が容易である。また、ステージ構成部材２００は、２つの遊技球流下部９４，９４によって上側ステージ２５Ｕと前面構成板９９とを繋いだ構成なので、１つの遊技球流下部９４によって繋いだ構成よりもステージ構成部材２００の強度を高めることができる。
【００７２】
なお、本実施形態では、上述した装飾枠２３を備えた表示装置１３の下方に始動入賞口１４が配設されている。より詳細には、始動入賞口１４は、上側ステージ２５Ｕに形成された誘導部９０の先端部の真下位置に配設されている。これにより、誘導部９０上を転動して流下された遊技球が、始動入賞口１４に入賞し易くなっている。これに対し、遊技球流下部９４，９４は、始動入賞口１４の真上位置から左右にずれた位置に配設されている。これにより、遊技球流下部９４を転動して流下した遊技球よりも、誘導部９０を転動して流下した遊技球の方が、始動入賞口１４に入賞する可能性が高くなっている。
【００７３】
次に、上記構成からなるパチンコ遊技機の作用・効果を説明する。
操作ノブ２８を操作して、遊技球が連続的に遊技盤１１の遊技領域Ｒ１における上方部分に弾き出されると、それら遊技球は、障害釘、ランプ風車１９等に当たって向きを変えられ、ランダムな経路を通って遊技領域Ｒ１の下方に向かう。遊技領域Ｒ１を流下して、表示装置１３の上方に達した遊技球の幾つかは、装飾枠２３の上辺に衝突し、表示装置１３の側方へ流下される。また、幾つかの遊技球は、装飾枠２３の上辺に形成された入球口３９から、装飾枠２３の内部に進入する。
【００７４】
装飾枠２３の内部に進入した遊技球は、まず上側通路４１上を装飾枠２３の右側辺へ向かって転がる。上側通路４１の終端部に達すると、遊技球は連絡部材４３に形成された球受凹部４４上に落下する。球受凹部４４に遊技球を受け入れた連絡部材４３は、受け入れた遊技球の自重によって回動して、球受凹部４４を下方位置へと移動させる。そして、球受凹部４４が下方位置となると、球受凹部４４に収容された遊技球が、下側通路４２上に排出される。
【００７５】
下側通路４２上に排出された遊技球は、さらに装飾枠２３の右側辺に向かって転がる。ここで、遊技球は、下側通路４２に形成された突条４５及び壁部４７に形成された突起部４６に接触して、図９の太線で示すように、下側通路４２上をジグザグに転動する。そして、下側通路４２の右端部に達すると後方誘導路５１に向かって流下する。
【００７６】
後方誘導路５１上に落下した遊技球は、後方誘導路５１の傾斜によって装飾枠２３の奥側へと案内される。ここで、遊技球は、後方誘導路５１に沿って左右に交互に配設された突条５３に接触して、図９の太線で示すように、後方誘導路５１上をジグザグに転動する。そして、後方誘導路５１の下端部、即ち、後方誘導路５１の奥端部に達すると、遊技球は樋部５４を通って真下に流下され、前方誘導路５２の奥端部（上端部）に落下する。
【００７７】
前方誘導路５２上に落下した遊技球は、前方誘導路５２の傾斜によって、今度は前方に向かって転動する。ここで、遊技球は、小突部５５やサイド突部５７，５７に接触することで転動方向がランダムに変わる。これにより、前方誘導路５２上を転動した遊技球は、前方誘導路５２の前端部の様々な位置から下方へ流下する。
【００７８】
ここで、前方誘導路５２の前端部のうち、センター突部５６よりも右側の部分から流下した場合は以下のようである。即ち、前方誘導路５２から流下した遊技球は、下側ステージ案内路６４上に落下し、前方誘導路５２の前側を、装飾枠２３の下辺部分へ向かって転動する。そして、下側ステージ案内路６４の下端部に達した遊技球は、下側ステージ案内路６４の奥側へ転がり、貫通口６７を通って下側ステージ２５Ｄの右端部に排出される。
【００７９】
下側ステージ２５Ｄの右端部に達した遊技球は、下側ステージ２５Ｄの傾斜によって下側ステージ２５Ｄ上を左右に往復転動する。そして、左右へ転動する勢いを次第に落とすと共に中央遊転部８０の傾斜によって前方へ向かって転動し、中央遊転部８０の前端部から装飾枠２３の下方へ流下される。ここで、下側ステージ２５Ｄの前端部には流下防止壁８１が形成されているので、遊技球が中央遊転部８０以外の場所から流下することが防止されている。
【００８０】
さて、前方誘導路５２の前縁部のうち、センター突部５６よりも左側の部分から流下した場合は以下のようである。即ち、前方誘導路５２から流下した遊技球は、上側ステージ案内路６３を構成する前通路６５上に落下する。そして前通路６５の傾斜によって、装飾枠２３の下辺部分に向かって転動する。前通路６５の下端部に達すると、遊技球は後方側へ向かって転動し、側方通路６６に進入する。そして側方通路６６を通って、装飾枠２３の奥側へ向かって転動し、上側ステージ２５Ｕの右端部に排出される。
【００８１】
上側ステージ２５Ｕの右端部に達した遊技球は、右スロープ部８７Ｒの傾斜によって上側ステージ２５Ｕの中央部分に向かって転動する。そして、右スロープ部８７Ｒを転動した勢いで、右転動部８３Ｒ、右隆起部８４Ｒ、中央転動部８３Ｃ、左隆起部８４Ｌ、左転動部８３Ｌ、左スロープ部８７Ｌの順に転がって、左スロープ部８７Ｌの途中まで達し、再び左スロープ部８７Ｌから右側、即ち上側ステージ２５Ｕの中央部分に向かって転動する。
【００８２】
左スロープ部８７Ｌから上側ステージ２５Ｕの中央部分に向かって転動した遊技球のうちの幾つかは、左転動部８３Ｌと中央転動部８３Ｃとの間に形成された左隆起部８４Ｌを乗り越えることなく、左転動部８３Ｌ上で勢いを落とし、球遊転部８６の傾斜によって上側ステージ２５Ｕの前端縁へ向かう。そして、球遊転部８６及び遊技球流下部９４に形成されたＶ字溝９４Ｖ上に案内されて、左転動部８３Ｌから遊技球流下部９４へ移動し、遊技球流下部９４の前端位置から下方へ流下される。つまり遊技球は、下側ステージ２５Ｄの上方を横切るように通過してから下側ステージ２５Ｄの前端縁よりも前側を通って装飾枠２３の下方へ流下される。これにより、従来の弾球遊技機に比べて上側ステージ２５Ｕから流下される遊技球の流下態様が複雑となり、遊技者に装飾枠２３における遊技球の動きに興味を抱かせることができる。
【００８３】
また、幾つかの遊技球は、左隆起部８４Ｌを乗り越えて、再び中央転動部８３Ｃに進入する。そして、中央転動部８３Ｃに進入した遊技球は、さらに右隆起部８４Ｒへ向かって転動する。ここで、左隆起部８４Ｌを乗り越えて中央転動部８３Ｃに進入した遊技球のほとんどは、右隆起部８４Ｒに形成された段差壁１００を登る勢いを有していない。これにより、遊技球は右隆起部８４Ｒを乗り越えることなく、中央転動部８３Ｃ上で勢いを落とし、球遊転部８６の傾斜によって上側ステージ２５Ｕの前端縁へ向かう。そして、球遊転部８６及び誘導部９０に形成されたＶ字溝９１に案内されて、中央転動部８３Ｃから誘導部９０へ移動し、誘導部９０の前端位置から下方に向かって流下される。つまり、遊技球は、下側ステージ２５Ｄの上方を横切るように通過してから、下側ステージ２５Ｄの前端縁よりも前側を通って装飾枠２３の下方へ流下される。これにより、従来の弾球遊技機に比べて上側ステージ２５Ｕから流下される遊技球の流下態様が複雑となり、装飾枠２３から流下する遊技球の流下態様の趣向性が向上する。
【００８４】
なお、ほとんどの遊技球は、上述したように中央転動部８３Ｃから誘導部９０を通って、或いは左転動部８３Ｌから遊技球流下部９４を通って、装飾枠２３の下方へ流下されるが、例えば、複数の遊技球が上側ステージ２５Ｕ上を転動している場合には、それら遊技球同士の衝突によって、遊技球が右隆起部８４Ｒを乗り越える等して、右転動部８３Ｒから遊技球流下部９４を通って流下されることがある。
【００８５】
さて、装飾枠２３から流下された遊技球は、始動入賞口１４の周辺部に向かって流下する。具体的には、上側ステージ２５Ｕから誘導部９０を通って流下された遊技球は、ほとんどが始動入賞口１４へ直接入賞する。これに対して、上側ステージ２５Ｕから遊技球流下部９４，９４を通って流下された遊技球は、始動入賞口１４の側方へ流下されるので、誘導部９０から流下された遊技球に比較して始動入賞口１４に入賞する可能性が低い。これにより、遊技者は上側ステージ２５Ｕを転動する遊技球が、誘導部９０を通ることを期待しつつ遊技を行うことができる。また、下側ステージ２５Ｄを転動した遊技球は、中央遊転部８０において様々な方向に向けて流下されるので、誘導部９０から流下された遊技球に比較して、始動入賞口１４に入賞する可能性が低い。なお、中央遊転部８０のうち誘導部９０の真下位置から前方に向かって流下された場合には、誘導部９０から流下された遊技球と同様に、始動入賞口１４へ入賞することがある。
【００８６】
このように、本実施形態によれば、ステージ構成部材２００は、上側ステージ２５Ｕと前面構成板９９と遊技球流下部９４，９４とを一体形成した構成なので、これらを別部品で構成した場合に比べて、部品点数を抑えることができ、装飾枠２３への組み付けが容易となると共に、安定した構造とすることができる。また、ステージ構成部材２００は、前面構成板９９が装飾枠２３と遊技盤１１とに固定されたので、装飾枠２３におけるステージ構成部材２００の取付状態をより安定した状態とすることができる。
【００８７】
しかも、ステージ構成部材２００は、上側ステージ２５Ｕと前面構成板９９とが上側ステージ２５Ｕから前方へ突出した遊技球流下部９４，９４によって繋がれた構造をなしており、これは従来の弾球遊技機にはない斬新な形状なので、装飾枠２３の形状について趣向性を向上することができる。
【００８８】
さらに、装飾枠２３には、遊技球通過路２６が形成され、様々に転動させた後で、上側ステージ２５Ｕ或いは下側ステージ２５Ｄに排出するように構成されたので、遊技球が上側ステージ２５Ｕ或いは下側ステージ２５Ｄに達するまでの転動態様を見て楽しむことができる。
【００８９】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態においては、弾球遊技機の一例としてパチンコ遊技機を例示したが、本発明はこれに限られず、例えばアレンジボール等に本発明を適用してもよい。
【００９０】
（２）前記実施形態では、上側ステージ２５Ｕと下側ステージ２５Ｄとが、表示装置１３の装飾枠２３に形成されていたが、この限りではなく、装飾枠２３以外の他の役物に形成してもよい。
【００９１】
（３）前記実施形態では、誘導部９０を始動入賞口１４の真上位置となるように配置して、始動入賞口１４へ入賞し易くなるように構成されていたが、例えば、始動ゲート１８や大入賞口１５の真上位置に配置して、始動ゲート１８や大入賞口１５へ入賞し易くなるように構成してもよい。
【００９２】
（４）前記実施形態では、誘導部９０は１つだけであったが、複数備えていてもよい。
【００９３】
（５）前記実施形態では、遊技球流下部９４は、２つ備えられていたが、１つでもよいし３つ以上であってもよい。
【００９４】
（６）前記実施形態では、上側ステージ２５Ｕの中央部分は、全体として波形状をなしていたが、下側ステージ２５Ｄと同様に、緩やかに湾曲した構成でもよい。
【００９５】
（７）前記実施形態では、誘導部９０の湾曲部分が上方を向いていると共に、先端部分に向かうに従って徐々に装飾体の下方に向かうように湾曲した形状となっているが、湾曲部分が下方を向いていると共に、先端部分に向かうに従って徐々に装飾体の下方に向かうように湾曲した形状でもよい。
【００９６】
（８）前記実施形態では、右隆起部８４Ｒの中央転動部８３Ｃ側の部分に段差壁１００を形成して、遊技球が中央転動部８３Ｃ側から右隆起部８４Ｒを乗り越え難くなるように構成したが、例えば、右隆起部８４Ｒの中央転動部８３Ｃ側の部分に溝を設けて、遊技球がこの溝によって勢いを落として、右隆起部８４Ｒを乗り越え難くなるように構成してもよい。
【００９７】
（９）前記実施形態では、前面構成板９９が装飾枠２３と遊技盤１１とに螺子止めされて、固定されていたが、図１２に示すように、装飾枠２３だけに固定するようにしてもよいし、遊技盤１１だけに固定するようにしてもよい。
【図面の簡単な説明】
【図１】本発明の一実施形態に係るパチンコ遊技機の正面図
【図２】装飾枠の斜視図
【図３】装飾枠の正面図
【図４】図３におけるＡ−Ａ断面図
【図５】図３におけるＤ−Ｄ断面図
【図６】図３におけるＢ−Ｂ断面図
【図７】図３におけるＣ−Ｃ断面図
【図８】装飾枠の分解斜視図
【図９】装飾枠と始動入賞口の正面図
【図１０】パチンコ遊技機の背面図
【図１１】装飾枠の背面図
【図１２】他の実施形態（９）における装飾枠の正面図
【符号の説明】
１１…遊技盤
２３…装飾枠（装飾部材）
２５Ｄ…下側ステージ（第２の転動部材、下側転動部）
２５Ｕ…上側ステージ（転動部、上側転動部）
９４…遊技球流下部（突出部、連絡部）
９４Ｖ…Ｖ字溝（遊技球誘導部、案内溝）
９９…前面構成板（取付部）
２００…ステージ構成部材（第１の転動部材）
Ｒ１…遊技領域
【図１】
2005013533.tif 000003
【図２】
2005013533.tif 000004
【図３】
2005013533.tif 000005
【図４】
2005013533.tif 000006
【図５】
2005013533.tif 000007
【図６】
2005013533.tif 000008
【図７】
2005013533.tif 000009
【図８】
2005013533.tif 000010
【図９】
2005013533.tif 000011
【図１０】
2005013533.tif 000012
【図１１】
2005013533.tif 000013
【図１２】
2005013533.tif 000014